(57)【要約】      （修正有）【課題】装置が大型化することなく簡単な構成によって、開閉カバーの片閉まりによる紙詰まりを確実に防止する。【解決手段】一方の搬送面を形成し装置本体５１に開閉自在に軸支された開閉カバー６１と、他方の搬送面を形成し開閉カバー６１の開閉に応じて回転するガイド部材５３と、開閉カバー６１の両側に設けられた一対のロック部材６６と、ロック受け部材５６とを備える。また、幅方向の一方に設けられ開閉カバー６１の開閉状態を検知するスイッチ部材５４と、開閉カバー６１に設けられた案内面６７と、ガイド部材５３に形成され開閉カバー６１の開閉に応じて案内面６７を移動して、ガイド部材５３の回転を案内する一対の案内部５７とを備える。また、一方側の案内面６７に形成され、開閉カバー６１の一方側近傍での閉操作により、開閉カバー６１が閉位置に至る前に、一方の案内部５７が一方側の案内面６７を移動するのを阻止する当接部６８とを備える。【選択図】図５
2010064881.tif 000002
【特許請求の範囲】
【請求項１】
互いに対向する一対の搬送面の間に形成された搬送路に沿って用紙を搬送する用紙搬送装置において、
一方の搬送面を形成し、装置本体に開閉自在に軸支された開閉カバーと、
他方の搬送面を形成し、装置本体に軸支されるとともに前記開閉カバーの開閉に応じて回転するガイド部材と、
前記開閉カバーの搬送幅方向の両側に設けられた一対のロック部材と、
装置本体に設けられ、前記開閉カバーの閉位置で前記一対のロック部材に係合するロック受け部材と、
搬送幅方向の一方側に設けられ、前記開閉カバーの閉位置で開閉状態を検知するスイッチ部材と、
前記開閉カバーの搬送幅方向の両側に設けられた案内面と、
前記ガイド部材に形成され、前記開閉カバーの開閉に応じて前記案内面を移動して、前記ガイド部材の回転を案内する一対の案内部と、
前記案内面の一方側に形成され、前記開閉カバーの一方側近傍での閉操作により、前記開閉カバーが閉位置に至る前に、一方側の前記案内部が前記一方側の案内面を移動するのを阻止する当接部とを備えるとともに、前記開閉カバーの所定位置での閉操作により、前記開閉カバーが閉位置に至り、前記スイッチ部材が前記開閉カバーの閉状態を検知することを特徴とする用紙搬送装置。
【請求項２】
前記案内部は前記ガイド部材の端部に突片で形成され、前記当接部は前記一方側の案内面から突出する突起であり、前記突片が前記突起に当接して、前記案内部が阻止されることを特徴とする請求項１に記載の用紙搬送装置。
【請求項３】
前記開閉カバーの一方側を閉操作した場合は、前記案内部は、前記当接部より下方位置で接触し、前記開閉カバーの所定位置を閉操作した場合は、前記案内部は前記当接部より上方位置で接触することを特徴とする請求項２に記載の用紙搬送装置。
【請求項４】
請求項１〜請求項３のいずれかに記載の用紙搬送装置が搭載された給紙装置。
【請求項５】
請求項１〜請求項３のいずれかに記載の用紙搬送装置が搭載された画像形成装置。
【発明の詳細な説明】
【技術分野】
【０００１】
本発明は、電子写真方式を利用した複写機、プリンタ、ファクシミリ、それらの複合機等の画像形成装置において原稿や転写紙等の用紙の搬送を行う用紙搬送装置及びそれを備えた給紙装置及び画像形成装置に関するものである。
【背景技術】
【０００２】
画像形成装置は、給紙カセット内の用紙が給紙ローラの回転により、１枚ずつ画像形成部側に搬送され、画像形成された用紙は、定着部で加熱溶融され定着されると、排出部に排出される。給紙カセットと画像形成部間の用紙搬送路や、定着部と排出部間の用紙搬送路では、紙詰まりの発生頻度が高い。紙詰まりが発生した場合には、装置本体に対して開閉可能に支持された開閉カバーを開くことで、搬送路に詰まった用紙を取り出すことができるようになっている。
【０００３】
開閉カバーの両端側には、装置本体と係合して閉状態を保持するためのロック部材が設けられている。そして、装置本体内には、開閉カバーの開閉状態を検出する検知センサ等のスイッチが設けられており、検知センサの検出により開閉カバーが閉状態にある場合のみ、画像形成装置が用紙送りを行って印字できるようになっている。ここで、検知センサが開閉カバーの搬送幅方向の一方側に配置されていると、開閉カバーが完全に閉じられていないにもかかわらず、用紙送りが行われる場合があった。このことは、検知センサと近接する側のロック部材のみが装置本体のロック受け部材に係合し、他方側のロック部材が係合していない場合に発生する。このように片閉まり状態となると、送られた用紙が、このこの搬送路で例えばガイド板に引っ掛かって搬送されず、紙詰まりが発生するという問題がある。
【０００４】
そこで、特許文献１では、開閉カバーは、給紙カセットと画像形成部との間の用紙搬送路に設けられ、装置本体の下部において回動軸を中心に装置本体に対して開閉可能に支持されている。開閉カバーに形成された用紙搬送ガイドと装置本体内に配置された用紙搬送ガイドとの間を、用紙が搬送される。開閉カバーはこの用紙搬送ガイド近傍で用紙の紙詰まりが発生した際に開けられる。開閉カバーの上部両側には、ロック部材が設けられ、このロック部材が装置本体側のロック受け部材に係合することで、開閉カバーが閉状態に保持される。そして、開閉状態を検出する検知センサが、用紙搬送路の上部で、開閉カバーの搬送幅方向の中心位置と対向する装置本体内に取り付けられている。これにより、開閉カバーが装置本体に対して片閉まり状態となった場合でも、検知センサと開閉カバーとの間に隙間が形成され、検知センサからオン信号が出力しないので、画像形成装置は印字可能状態とはならず、開閉カバーの片閉まりによる紙詰まりを防止している。
【０００５】
しかしながら、上述した従来技術では、検知センサは、用紙搬送路の上部に配置されることになるので、この検知センサのオンオフを作動される部材も、検知センサに対向する位置で開閉カバーに設けられることになり、開閉カバーには、用紙搬送ガイドの上部に検知センサ作動部材を設けなくてはならず、開閉カバーが嵩高になる。これでは、開閉カバーの近辺に配置される給紙部、画像形成部または定着部等のユニットの配置や構成に制約を与えることになり、また画像形成装置や給紙装置が大型化するという問題があった。
【特許文献１】実開平６−６３５３８号公報（段落［００１５］〜［００２０）、図２）
【発明の開示】
【発明が解決しようとする課題】
【０００６】
本発明は、上記のような課題を解決するためになされたものであり、装置が大型化することなく簡単な構成によって、開閉カバーの片閉まりによる紙詰まりを確実に防止する用紙搬送装置及びそれを備えた給紙装置及び画像形成装置を提供することを目的とする。
【課題を解決するための手段】
【０００７】
上記目的を達成するために本発明は、互いに対向する一対の搬送面の間に形成された搬送路に沿って用紙を搬送する用紙搬送装置において、一方の搬送面を形成し、装置本体に開閉自在に軸支された開閉カバーと、他方の搬送面を形成し、装置本体に軸支されるとともに前記開閉カバーの開閉に応じて回転するガイド部材と、前記開閉カバーの搬送幅方向の両側に設けられた一対のロック部材と、装置本体に設けられ、前記開閉カバーの閉位置で前記一対のロック部材に係合するロック受け部材と、搬送幅方向の一方側に設けられ、前記開閉カバーの閉位置で開閉状態を検知するスイッチ部材と、前記開閉カバーの搬送幅方向の両側に設けられた案内面と、前記ガイド部材に形成され、前記開閉カバーの開閉に応じて前記案内面を移動して、前記ガイド部材の回転を案内する一対の案内部と、前記案内面の一方側に形成され、前記開閉カバーの一方側近傍での閉操作により、前記開閉カバーが閉位置に至る前に、一方側の前記案内部が前記一方側の案内面を移動するのを阻止する当接部とを備えるとともに、前記開閉カバーの所定位置での閉操作により、前記開閉カバーが閉位置に至り、前記スイッチ部材が前記開閉カバーの閉状態を検知することを特徴としている。
【０００８】
この構成によれば、開閉カバーを閉じるために、開閉カバーを装置本体側に押す操作が行われると、ガイド部材に形成した案内部が開閉カバーに設けた案内面を移動し、ガイド部材が装置本体に対して回転する。このガイド部材の回転時に、一方側近傍で閉操作が行われると、他方側の案内部は案内面から離間して移動するが、一方側の案内部は、この操作力を直接的に受けて、開閉カバーが閉位置に至る前に、案内面に形成された当接部によって、案内面に沿って移動するのを阻止される。従って開閉カバーのロック部材が装置本体のロック受け部材に係合せず、またスイッチ部材が開閉カバーの閉状態を検知することがない。開閉カバーの所定位置で閉操作が行われると、一方側の案内部が当接部よりも上方の案内面に当接しながら上方に移動し、また、他方側の案内部が案内面に当接しながら上方に移動して、閉位置に至る。この閉位置では、ロック部材が装置本体のロック受け部材に係合し、またスイッチ押圧部材がスイッチ部材を押し、スイッチ部材がオンして、開閉カバーの閉状態を検知する。
【０００９】
また、請求項２に記載の発明では、前記案内部は前記ガイド部材の端部に突片で形成され、前記当接部は前記一方側の案内面から突出する突起であり、前記突片が前記突起に当接して、前記案内部が係止されることを特徴としている。
【００１０】
また、請求項３に記載の発明では、前記開閉カバーの一方側を閉操作した場合は、前記案内部は、前記当接部より下方位置で接触し、前記開閉カバーの所定位置を閉操作した場合は、前記案内部は前記当接部より上方位置で接触することを特徴としている。
【００１１】
また、請求項４に記載の発明では、上記の構成の用紙搬送装置が搭載された給紙装置である。
【００１２】
また、請求項５に記載の発明では、上記の構成の用紙搬送装置が搭載された画像形成装置である。
【発明の効果】
【００１３】
請求項１に記載の発明によれば、開閉カバーを閉じるために、開閉カバーを装置本体側に押す操作が行われると、ガイド部材に形成した案内部が開閉カバーに設けた案内面を移動し、ガイド部材が装置本体に対して回転する。このガイド部材の回転時に、開閉カバーの所定位置で閉操作が行われると、一方側の案内部が当接部よりも上方の案内面に当接しながら上方に移動し、また、他方側の案内部が案内面に当接しながら上方に移動して、閉位置に至る。この閉位置では、ロック部材が装置本体のロック受け部材に係合し、またスイッチ押圧部材がスイッチ部材を押し、スイッチ部材がオンして、開閉カバーの閉状態を検知する。一方側近傍で閉操作が行われると、他方側の案内部は案内面から離間して移動するが、一方側の案内部は、この操作力を直接的に受けて、開閉カバーが閉位置に至る前に、案内面に形成された当接部によって、案内面に沿って移動するのを阻止される。従って開閉カバーのロック部材が装置本体のロック受け部材に係合せず、またスイッチ部材が開閉カバーの閉状態を検知することがない。つまり閉操作するために、開閉カバーの一方側近傍を押す等の片閉まりを起こすことのある操作が行われても、スイッチが作動することがないので、開閉カバーの片閉まりによる紙詰まりを確実に防止することができる。
【００１４】
また、請求項２に記載の発明によれば、案内部はガイド部材の端部に突片で形成され、当接部は案内面から突出する突起であり、この突片が突起に当接して、案内部が係止されるので、簡単な構成によって、開閉カバーの片閉まりによる紙詰まりを確実に防止することができる。
【００１５】
また、請求項３に記載の発明によれば、開閉カバーの一方側を閉操作した場合は、案内部は、当接部より下方位置で接触し、開閉カバーの所定位置を閉操作した場合は、記案内部は前記当接部より上方位置で接触する。従って、開閉カバーの一方側近傍を押す等の片閉まりを起こすことのある操作が行われても、スイッチが作動することがないので、開閉カバーの片閉まりによる紙詰まりを確実に防止することができ、一方、開閉カバーの所定位置を操作すると、開閉カバーは閉位置に至り、ロック部材が装置本体のロック受け部材に係合し、またスイッチ部材が開閉カバーの閉状態を検知することができる。
【００１６】
また、請求項４に記載の発明によれば、装置が大型化することなく簡単な構成によって、開閉カバーの片閉まりによる紙詰まりを確実に防止する用紙搬送装置を備える給紙装置にすることができる。
【００１７】
また、請求項５に記載の発明によれば、装置が大型化することなく簡単な構成によって、開閉カバーの片閉まりによる紙詰まりを確実に防止する用紙搬送装置を備える画像形成装置にすることができる。
【発明を実施するための最良の形態】
【００１８】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１９】
図１は、給紙装置を示す斜視図であり、図２は、給紙装置おける開閉カバーを開いた状態を示す要部斜視図である。
【００２０】
図１に示すように、給紙装置５０は、直方体形状に構成される装置本体５１と、給紙トレイ７１、７２と、装置本体５１の左面のフレームに設けた開閉カバー６１とを備える。
【００２１】
給紙トレイ７１、７２は装置本体５１内に積み重ねて配置される。給紙トレイ７１は、用紙を積層載置する用紙収容部７５を有し、装置本体５１から図１のＹ方向に引き出し可能である。用紙収容部７５に用紙が無くなると、給紙トレイ７１が把手７３によって引き出され、用紙を用紙収容部７５に載置することができる。用紙収容部７５に載置された複数枚の用紙のうち、最上位の用紙を１枚ずつ、左面のフレーム部分からＺ方向の上方に向かって給紙するように構成されている。給紙トレイ７２は、給紙トレイ７１と同様の構成で、給紙トレイ７１の下段に配置される。
【００２２】
開閉カバー６１は、合成樹脂材で矩形状に形成され、装置本体５１の下部の両側を支軸にして開閉自在に設けられている。この開閉カバー６１は、用紙収容部７５から給紙される用紙の紙詰まりが発生した際に開けられる。開閉カバー６１の略中央部に凹形状の操作部６２を有し、この操作部６２が図１の略Ｘ方向に引かれると開き、操作部６２が図１の
略Ｘ方向に押されると閉まる。操作部６２以外の外装面６５が押されても、開閉カバー６
１を閉めることが可能である。
【００２３】
図２に示すように、装置本体５１の左面フレームの上部には、用紙を搬送するガイド部材５３が設けれ、一方、開閉カバー６１の内面側の上部には、カバー側ガイド部材６３が設けられる。開閉カバー６１の閉状態で、カバー側ガイド部材６３とガイド部材５３とが対向し、用紙の搬送路を形成する。この搬送路は、用紙収容部７５から図２のＺ方向上方に円弧状に折れ曲がって用紙を搬送する。
【００２４】
開閉カバー６１の搬送幅方向（図２のＹ方向）の両側面には、一対のロック部材６６が設けられ、装置本体５１の搬送幅方向の両側面には、開閉カバー６１の閉状態で、この一対のロック部材６６に係合するロック受け部材５６が設けられる。尚、図２では、奥側のロック部材６６と手前側のロック受け部材５６とは不可視となっている。
【００２５】
装置本体５１の搬送幅方向の一側面（奥側）で用紙搬送の妨げにならない位置に、スイッチ部材５４が配設されている。スイッチ部材５４は、筐体から感知レバーが突出し、この感知レバーを押すと、感知レバーの動きによって筐体内の接点スイッチがオンする構成を備え、開閉カバー６１の閉位置で、この感知レバーが押され、スイッチがオンする。尚、スイッチ部材５４は、投光する光を受光か否かにより信号を出力し、感知レバーの作動により、光を遮断する光学センサでもよい。
【００２６】
スイッチ部材５４からオン信号を出力している間は、給紙装置５０は搬送ローラ等の駆動部を駆動可能状態に保持する。一方、紙詰まり等の発生により、開閉カバー６１が開状態にあると、スイッチ部材５４のスイッチをオフにし、スイッチ部材５４からのオン信号の出力が中断され、これによって給紙装置５０は搬送ローラ等の駆動部を停止させる。
【００２７】
次に、開閉カバー６１の開閉の構成を図３〜図５に基づいて説明する。図３は開閉カバーを閉じた状態を示す要部の断面平面図であり、図４は、開閉カバーを閉じた状態を示す、図３のＣ方向から見た要部の側面図であり、図５は開閉カバーを開いた状態を示す要部の断面平面図である。尚、図３の矢印Ａは開閉カバーの開く方向を示し、図４の矢印Ｂは開閉カバーの閉まる方向を示す。
【００２８】
図３に示すように、開閉カバー６１はその下部で搬送幅方向（図２のＹ方向）の両側に嵌装孔６９を有し、一方、装置本体５１は嵌装孔６９に嵌まる支軸５９を有する。開閉カバー６１は、この支軸５９を中心にして図３の矢印Ａ方向に回転することができる。嵌装孔６９と支軸５９は、開閉カバー６１と装置本体５１の各部材の製作誤差等があっても、開閉カバー６１が装置本体５１に取り付けられて作動することができるような遊び（隙間）を有して嵌合している。
【００２９】
図３に示す開閉カバー６１の閉状態では、開閉カバー６１に設けたロック部材６６は、装置本体５１に設けたロック受け部材５６に係合している。ロック受け部材５６は、回転軸５８によって装置本体５１に回転自在に支持されるとともに、図示しない捩りバネによって、図３の時計回り方向に付勢されている。これによって、ロック受け部材５６のフック部とロック部材６６のフック部が係合して、開閉カバー６１の閉状態を保持することになる。尚、ロック部材６６が、回転軸によって回転自在に支持され、捩りバネによって付勢され、ロック受け部材５６がロック部材６６に係合するように構成してもよい。
【００３０】
開閉カバー６１には、スイッチ押圧部材６４が設けられ、このスイッチ押圧部材６４は、開閉カバー６１の閉状態で、スイッチ部材５４に対向するように配設される。つまり、スイッチ押圧部材６４は、長靴形状の板材で形成され、開閉カバー６１の搬送幅方向の一側面（図２のＹ方向の奥側で不可視）に固定される。開閉カバー６１の閉位置で、スイッチ押圧部材６４の先端がスイッチ部材５４の感知レバーを押すと、スイッチ部材５４のスイッチがオンする。
【００３１】
ガイド部材５３は、その下部で回転軸５５によって装置本体５１の上部に回転自在に保持され、ガイド部材５３の上端部には、矩形状の突片をした案内部５７を合成樹脂で一体に形成されている。案内部５７は平坦な面と、その上方の円弧面で構成される。一方、開閉カバー６１には、案内部５７に対向する平坦な案内面６７が形成されている。案内部５７は、開閉カバー６１の閉状態で案内面６７に当接し、開閉カバー６１の開状態で案内面６７から離間し、開閉カバー６１の開閉操作で案内面６７を摺動する。このことは後で詳しく説明する。
【００３２】
図４に示すように、ガイド部材５３には、用紙搬送を案内するための複数のガイド板５２が搬送幅方向（Ｙ方向）に並列して配設され、前述の案内部５７が複数のガイド板５２の両側に板状で一対設けられている。一方側の案内部５７ａはスイッチ部材５４（図２参照）の配置される一方側に配設され、他方側の案内部５７ｂは他方側に配設される。開閉カバー６１には、案内面６７ａ、６７ｂが各案内部５７ａ、５７ｂに対向する位置に形成されている。
【００３３】
図３に示す開閉カバー６１の閉状態において、開閉カバー６１の操作部６２を引く操作が行われると、ロック受け部材５６の捩りバネの付勢力に抗して、ロック部材６６がロック受け部材５６との係合を外され、開閉カバー６１は支軸５９を中心に矢印Ａ方向に回転する。このとき、スイッチ押圧部材６４がスイッチ部材５４から離れ、スイッチ部材５４のスイッチをオフにする。また、ガイド部材５３が、回転軸５５を中心にして、ガイド部材５３の自重によって、図３の時計回り方向に回転する。ガイド部材５３の回転と、開閉カバー６１の装置本体５１からの離間によって、ガイド部材５３の案内部５７は開閉カバー６１の案内面６７を下方に摺動する。つまり、図４に示すように、一方側の案内部５７ａは案内面６７ａを摺動し、他方側の案内部５７ｂは案内面６７ｂを下方に摺動する。さらに開閉カバー６１の開操作が行われると、開閉カバー６１は図５に示す開状態になる。
【００３４】
図５に示す開状態では、ガイド部材５３の下部が装置本体５１に当接し、案内部５７が案内面６７から離間し、ガイド部材５３は閉位置から略６０度回転した状態で保持されている。このように、開閉カバー６１とガイド部材５３が開放されると、搬送路のジャム用紙、または用紙収容部７５（図２参照）の出口近傍のジャム用紙を取り除くことができる。そして、開閉カバー６１を装置本体５１側に押す操作が行われると、開閉カバー６１は支軸５９を中心に矢印Ｂ方向に回転する。
【００３５】
閉操作による開閉カバー６１の動作を、図６、図７に基づいて説明する。図６は、一方側を押す操作を行って開閉カバー６１を閉める時の、案内部５７ａ、５７ｂの動きを示す要部平面図である。図６の（１Ａ）、（１Ｂ）は開閉カバー６１の閉まる途上を示し、（２Ａ）、（２Ｂ）は開閉カバー６１の閉位置を示す。図７は、所定位置を押す操作を行って開閉カバー６１を閉める時の、案内部５７ａ、５７ｂの動きを示す要部平面図である。図７の（１Ａ）、（１Ｂ）は開閉カバー６１の閉まる途上を示し、（２Ａ）、（２Ｂ）は開閉カバー６１の閉位置を示す。各図の（１Ａ）と（２Ａ）は一方側の案内部５７ａを示し、（１Ｂ）と（２Ｂ）は他方側の案内部５７ｂの動きを示す。
【００３６】
図６（１Ａ）、（２Ａ）に示すように、一方側の案内面６７ａには、当接部６８が案内面６７ａから突出して形成される。当接部６８は、案内面６７ａの、開閉カバー６１の閉位置の直前に相当する位置に配置される。また、一方側の案内面６７ａと他方側の案内面６７ｂは同じ高さｈに形成され、当接部６８は一方側の案内面６７ａから突出している。
【００３７】
図６（１Ａ）に示すように、外装面６５の一方側近傍を操作力Ｐａで押すと、一方側の案内部５７ａが案内面６７ａに当接しながら上方に移動する。また、図６（１Ｂ）に示すように、他方側の案内部５７ｂが案内面６７ｂから離間して上方に移動する。
【００３８】
次に、開閉カバー６１の閉位置の直前でも、他方側の案内部５７ｂが案内面６７ｂから離間して上方に移動し、図６（２Ｂ）に示すように、閉位置に至る。この位置で、他方側のロック部材６６が装置本体５１のロック受け部材５６に係合しない。しかし、図６（２Ａ）に示すように、一方側の案内部５７ａが当接部６８に阻止される。従って、閉位置で、一方側のロック部材６６も装置本体５１のロック受け部材５６に係合せず、またスイッチ押圧部材６４がスイッチ部材５４を押すことがない。
【００３９】
次に、図７（１Ｂ）に示すように、外装面６５の他方側を操作力Ｐｂで押すと、他方側の案内部５７ｂが案内面６７ｂに当接しながら上方に移動する。しかしながら、一方側の案内部７５ａは、案内面６７ａから離間しながら上方に移動する。
【００４０】
次に、開閉カバー６１の閉位置の直前では、他方側の案内部５７ｂが案内面６７ｂに当接しながら上方に移動し、図７（２Ｂ）に示すように、閉位置に至る。この閉位置で、他方側のロック部材６６が装置本体５１のロック受け部材５６に係合に係合する。しかし、一方側の案内部５７ａは、当接部６８に当接することなく、案内面６７ａから離間しながら上方に移動して、図７（２Ａ）に示す状態になる。この状態では、一方側のロック部材６６が装置本体５１のロック受け部材５６に係合せず、またスイッチ押圧部材６４がスイッチ部材５４を押すことがない。従って、片閉まりがあっても、スイッチ部材５４がオンしないので、開閉カバー６１が開放状態であると検知するため、装置が駆動することがなく、かかる問題は発生しない。
【００４１】
中央部の所定位置を押すと、一方側の案内部５７ａが当接部６８よりも上方の案内面６７ａに当接しながら上方に移動し、また、他方側の案内部５７ｂが案内面６７ｂに当接しながら上方に移動して、閉位置に至る。この閉位置では、ロック部材６６が装置本体５１のロック受け部材５６に係合し、またスイッチ押圧部材６４がスイッチ部材５４を押し、スイッチ部材５４がオンする。
【００４２】
上記実施形態によれば、用紙搬送装置は、一方の搬送面を形成し、装置本体５１に開閉自在に軸支された開閉カバー６１と、他方の搬送面を形成し、装置本体５１に軸支されるとともに開閉カバー６１の開閉に応じて回転するガイド部材５３と、開閉カバー６１の搬送幅方向の両側に設けられた一対のロック部材６６と、装置本体５１に設けられ、開閉カバー６１の閉位置で一対のロック部材６６に係合するロック受け部材５６とを備える。また、搬送幅方向の一方側に設けられ、開閉カバー６１の閉位置で開閉状態を検知するスイッチ部材５４と、開閉カバー６１の搬送幅方向の両側に設けられた案内面６７ａ、６７ｂと、ガイド部材５３に形成され、開閉カバー６１の開閉に応じて案内面６７ａ、６７ｂを移動して、ガイド部材５３の回転を案内する一対の案内部５７ａ、５７ｂとを備える。また、一方側の案内面６７ａに形成され、開閉カバー６１の一方側近傍での閉操作により、開閉カバー６１が閉位置に至る前に、一方側の案内部５７ａが一方側の案内面６７ａを移動するのを阻止する当接部６８とを備える。
【００４３】
この構成によると、開閉カバー６１を閉じるために、開閉カバー６１を装置本体５１側に押す操作が行われると、ガイド部材５３に形成した案内部５７ａ、５７ｂが開閉カバー６１に設けた案内面６７ａ、６７ｂを移動し、ガイド部材５３が装置本体５１に対して回転する。このガイド部材５３の回転時に、一方側近傍で閉操作が行われると、他方側の案内部５７ｂは案内面６７ｂから離間して移動するが、一方側の案内部５７ａは、この操作力を直接的に受けて、開閉カバー６１が閉位置に至る前に、案内面６７ａに形成された当接部６８によって、案内面６７ａに沿って移動するのを阻止される。従って開閉カバー６１のロック部材６６が装置本体５１のロック受け部材５６に係合せず、またスイッチ部材５４が開閉カバー６１の閉状態を検知することがない。つまり閉操作するために、開閉カバー６１の一方側近傍を押す等の片閉まりを起こすことがある操作が行われても、スイッチが作動することがないので、開閉カバー６１の片閉まりによる紙詰まりを確実に防止することができる。
【００４４】
また、上記実施形態によると、案内部５７ａ、５７ｂはガイド部材５３の端部に突片で形成され、当接部６８は案内面６７ａから突出する突起であり、突片が突起に当接して、一方側の案内部５７ａが係止されることによって、簡単な構成によって、開閉カバー６１の片閉まりによる紙詰まりを確実に防止することができる。
【００４５】
尚、上記実施形態では、用紙搬送装置を給紙装置に適用した例を示したが、本発明はこれに限らず、用紙搬送装置を、図８に示す画像形成装置に適用してもよい。
【００４６】
図８は、画像形成装置の全体構成を示す概略平面図である。画像形成装置１は、その下部に配設された給紙部３と、この給紙部３の側方及び上方に配設された用紙搬送部４、６と、この用紙搬送部４の上方に配設された画像形成部１０と、この画像形成部１０よりも排出側に配設された定着装置１３と、定着装置１３の右方に配設された排出部１５と、排出部１５の上方に配設された画像読取部８を備えている。
【００４７】
画像形成部１３は、電子写真プロセスによって、用紙にトナー像を形成するものであり、所定の方向に回転可能に軸支された感光体と、この感光体の周囲にその回転方向に沿って、帯電装置、現像装置、クリーニング装置、及び除電装置等を備えている。帯電装置よって感光体表面に所定電位を与えると、感光体表面が一様に帯電させられる。
【００４８】
画像読取部８によって読み取られた原稿の画像データに基づく光が、露光装置９により感光体に照射されると、感光体の表面電位が選択的に減衰され、感光体表面に静電潜像が形成される。次いで、現像装置が感光体表面の静電潜像を現像し、感光体表面にトナー像が形成される。
【００４９】
給紙部３は、用紙Ｐを収容する複数の給紙カセットを備えており、給紙ローラの回転動作により、複数の給紙カセットのうち選択された給紙カセットから用紙Ｐを１枚ずつ確実に用紙搬送部４に送り出す。
【００５０】
用紙搬送部４に送られた用紙Ｐは、画像形成部１０に向けて搬送される。画像形成部１０では、トナー像が用紙Ｐに転写される。
【００５１】
トナー像が転写された用紙Ｐは、定着装置１３に向けて搬送される。定着装置１３では、加熱部材及び加圧ローラによって、用紙Ｐが加熱加圧され、用紙９上にトナー像が溶融定着される。次いで、定着された用紙Ｐは、排出ローラ対１６によって排出部１５上に排出される。
【００５２】
本実施形態の用紙搬送装置は、このような画像形成装置の用紙搬送部４、定着装置１３と排出部１５との間の用紙搬送路等に用いることができる。
【産業上の利用可能性】
【００５３】
本発明は、電子写真方式を利用した複写機、プリンタ、ファクシミリ、それらの複合機等の画像形成装置において原稿や転写紙等の用紙の搬送を行う用紙搬送装置及びそれを備えた給紙装置及び画像形成装置に利用することができる。
【図面の簡単な説明】
【００５４】
【図１】は、本発明の実施形態である給紙装置を示す斜視図である。
【図２】は、本発明の実施形態である給紙装置に用いられる用紙搬送装置の開閉カバーを開いた状態を示す要部斜視図である。
【図３】は、本発明の実施形態である給紙装置に用いられる用紙搬送装置の開閉カバーを閉じた状態を示す要部の断面平面図である。
【図４】は、本発明の実施形態である給紙装置に用いられる用紙搬送装置の開閉カバーを閉じた状態を示す要部の側面図である。
【図５】は、本発明の実施形態である給紙装置に用いられる用紙搬送装置の開閉カバーを開いた状態を示す要部の断面平面図である。
【図６】は、本発明の実施形態である給紙装置に用いられる用紙搬送装置に係る開閉カバーの一方側の操作による開閉カバーの動きを示す要部平面図である。
【図７】は、本発明の実施形態である給紙装置に用いられる用紙搬送装置に係る開閉カバーの所定位置の操作による開閉カバーの動きを示す要部平面図である。
【図８】は、本発明の実施形態である用紙搬送装置を用いる画像形成装置の概略構成を示す断面図である。
【符号の説明】
【００５５】
１    画像形成装置
５０    給紙装置
５１    装置本体
５２    ガイド板
５３    ガイド部材
５４    スイッチ部材
５５    回転軸
５６    ロック受け部材
５７    案内部
５７ａ    一端側の案内部
５７ｂ    他端側の案内部
５８    回転軸
５９    支軸
６１    開閉カバー
６２    操作部
６３    カバー側ガイド部材
６４    スイッチ押圧部材
６５    外装面
６６    ロック部材
６７、６７ａ、６７ｂ    案内面
６８    当接部
６９    嵌装孔
７１、７２    給紙ユニット
７５    用紙収容部
【図１】
2010064881.tif 000003
【図２】
2010064881.tif 000004
【図３】
2010064881.tif 000005
【図４】
2010064881.tif 000006
【図５】
2010064881.tif 000007
【図６】
2010064881.tif 000008
【図７】
2010064881.tif 000009
【図８】
2010064881.tif 000010